(57)【要約】 【課題】  光供給ユニットを用いた表示装置を提供する。【解決手段】  ソケットターミナルを具備した光供給ユニットを用いた表示装置に関し、底部を有する収納容器と、収納容器内に配置されて光を提供する光源と、収納容器内に配置された回路基板と、光源及び回路基板に電気的に接続されたソケットターミナルと、そして光源から提供される光を受けるよう配置された表示パネルを含む表示装置を提供する。【選択図】図４
2010039471.tif 000002
【特許請求の範囲】
【請求項１】
底部を有する収納容器と、
光を提供して前記収納容器の前記底部の一面上に位置する光源と、
前記光源が置かれた前記底部と同じ面上に配置される回路基板と、
前記光源及び前記回路基板に電気的に接続されるソケットターミナルと、
前記光源から光を受けて画像を表示する表示パネルと、を有することを特徴とする表示装置。
【請求項２】
前記回路基板は、前記収納容器の前記底部に垂直に配置されることを特徴とする請求項１記載の表示装置。
【請求項３】
前記ソケットターミナルは、前記回路基板と締結される回路基板締結部を含み、前記回路基板締結部は、内側空間を有するハウジングと、第１導電性ターミナルを含み、
前記第１導電性ターミナルは、前記ハウジングの内側空間に位置することを特徴とする請求項１記載の表示装置。
【請求項４】
前記回路基板は、突出エッジと前記突出エッジに形成されたコンタクトターミナルを含み、
前記突出エッジは、前記ハウジングの前記内側空間に挿入され、前記第１導電性ターミナルが前記コンタクトターミナルと電気的に接続されていることを特徴とする請求項３記載の表示装置。
【請求項５】
前記回路基板締結部は、曲げられて前記回路基板のエッジにかかるように形成されることを特徴とする請求項３記載の表示装置。
【請求項６】
前記回路基板締結部は、前記回路基板の前記コンタクトターミナルに電気的に接続されるように形成された凹部を含むことを特徴とする請求項３記載の表示装置。
【請求項７】
前記ソケットターミナルは前記光源を固定するソケット部を含み、前記ソケット部は第１ブランチと第２ブランチを含み、
前記第１ブランチ及び第２ブランチは、一部分が互いに向かって曲げられて光源を支持するランプホールディング部と、光源をランプホールディング部にガイドするランプガイド部を形成することを特徴とする請求項１記載の表示装置。
【請求項８】
前記第１ブランチと前記第２ブランチとの間隔は、前記ランプガイド部がランプホールディング部より広いことを特徴とする請求項７記載の表示装置。
【請求項９】
前記ソケットターミナルは、全体が導電性物質からなることを特徴とする請求項１記載の表示装置。
【請求項１０】
前記ソケットターミナルは、前記光源と前記回路基板に直接連結されることを特徴とする請求項１記載の表示装置。
【発明の詳細な説明】
【技術分野】
【０００１】
本発明は、光供給ユニットとこれを用いた表示装置に関し、より詳細には、光源のためのソケット型ターミナルを有する光供給ユニットを用いた表示装置に関する。
【背景技術】
【０００２】
液晶表示装置（ＬＣＤ）は薄くて、軽くて、低電力駆動が可能である等多様な長所を有している。画像を表示する液晶表示装置の液晶表示パネルは、自体発光しないため、外部から光を供給しなければならない。従って、光の供給のために液晶表示装置は、光供給ユニットを必要とする。光供給ユニットは、光を発生させる光源と、輝度と光均一性を向上させる光学フィルム、光学プレート等の光学素子を含んで構成される。光源としては、冷陰極蛍光ランプ（ＣＣＦＬ）、熱陰極蛍光ランプ（ＨＣＦＬ）、外部電極蛍光ランプ（ＥＥＦＬ）等のランプやＬＥＤ等が使用できる。
【０００３】
一般的に、ランプを光供給ユニットに組立てる時、ランプをランプ駆動電力供給用の電線に半田付けして、ランプホルダーのような保持手段で固定する。しかし、半田付け工程は、接合部不良、作業歩留まりの低下等の短所を有する。
【発明の概要】
【発明が解決しようとする課題】
【０００４】
そこで、本発明は、上記従来の表示装置における問題点に鑑みてなされたものであって、本発明の目的は、半田付けなしにランプを固定してランプ駆動電力の供給が可能な光供給ユニットを用いた表示装置を提供することにある。
【課題を解決するための手段】
【０００５】
上記目的を達成するためになされた本発明による表示装置は、底部を有する収納容器と、光を提供して前記収納容器の前記底部の一面上に位置する光源と、前記光源が置かれた前記底部と同じ面上に配置される回路基板と、前記光源及び前記回路基板に電気的に接続されるソケットターミナルと、前記光源から光を受けて画像を表示する表示パネルと、を有することを特徴とする。
【０００６】
前記回路基板は、前記収納容器の前記底部に垂直に置か配置されていることが好ましい。
前記ソケットターミナルは、前記回路基板と締結される回路基板締結部を含み、前記回路基板締結部は、内側空間を有するハウジングと、第１導電性ターミナルを含み、前記第１導電性ターミナルは、前記ハウジングの内側空間に位置することが好ましい。
前記回路基板は、突出エッジと前記突出エッジに形成されたコンタクトターミナルを有し含み、前記突出エッジは、前記ハウジングの前記内側空間に挿入され、前記第１導電性ターミナルが前記コンタクトターミナルと電気的に接続されていることが好ましい。
【０００７】
前記回路基板締結部は、曲げられて前記回路基板のエッジにかかるように形成されることが好ましい。
前記回路基板締結部は、前記回路基板の前記コンタクトターミナルに電気的に接続されるように形成された凹部を含むことが好ましい。
【０００８】
前記ソケットターミナルは前記光源を固定するソケット部を含み、前記ソケット部は第１ブランチと第２ブランチを含み、前記第１ブランチ及び第２ブランチは、一部分が互いに向かって曲げられて光源を支持するランプホールディング部と光源をランプホールディング部にガイドするランプガイド部を形成することが好ましい。
前記第１ブランチと前記第２ブランチとの間隔は、前記ランプガイド部がランプホールディング部より広いことが好ましい。
前記ソケットターミナルは、全体が導電性物質からなることが好ましい。
前記ソケットターミナルは、前記光源と前記回路基板に直接連結されることが好ましい。
【発明の効果】
【０００９】
本発明による光供給ユニットを用いた表示装置によると、半田付け接続不良を減少させることができるので信頼性が向上され、半田付け工程を省略することにより歩留まりの向上にも寄与する。
光源と駆動電力を伝達するワイヤー間の追加的なボンディング工程を省略でき、接続信頼性が向上し、歩留まりの向上にも寄与する。又、ユニット内部に駆動電力を供給するための回路基板を配置でき、より薄型の表示装置を具現することができる。
【図面の簡単な説明】
【００１０】
【図１】本発明の一実施形態による液晶表示装置の分解斜視図である。
【図２】図１の破線Ａで囲まれた部分の拡大図である。
【図３】図１に示したサイドカバーを示す斜視図である。
【図４】本発明の一実施形態による光源アセンブリの斜視図である。
【図５】本発明の一実施形態によるソケットターミナルの後面斜視図である。
【図６】本発明の一実施形態によるソケットターミナルの後面斜視図である。
【図７】本発明の他の実施形態による光供給ユニットの斜視図である。
【図８】図７に示した光源アセンブリの分解斜視図である。
【図９】図７に示したソケットターミナルの分解斜視図である。
【発明を実施するための最良の形態】
【００１１】
以下、添付図面を参照して本発明の実施形態をより詳細に説明する。本発明は、多様に変更を加えることができ、多様な形態を有することができるので、特定実施形態を図面に例示して以下で詳細に説明する。しかし、これは本発明の特定な開示形態に対して限定するものではなく、本発明の思想及び技術範囲に含まれる全ての変更、均等物乃至代替物を含むことと理解すべきである。各図面を説明しながら同じ構成要素には同じ参照符号を付与した。
【００１２】
図１は、本発明の一実施形態による液晶表示装置の分解斜視図であり、図２は、図１の破線Ａで囲まれた部分の拡大図である。
【００１３】
図１及び図２を参照すると、液晶表示装置１００は、収納容器１０、光供給ユニット９０、パネルガイド６０、液晶表示パネル７０、及びトップフレーム８０を含む。
【００１４】
実施形態によると、光供給ユニット９０は収納容器１０内に配置され、光を液晶表示パネル７０側に反射するリフレクター２０と光を生成して提供する光源アセンブリ３０、光源アセンブリ３０の末端をカバーするサイドカバー４０、及び輝度強化フィルムや拡散フィルムのような光学素子５０を含む。
【００１５】
光源アセンブリ３０は、光源としてランプ３１０を具備し、回路基板３２０及びソケットターミナル３３０を含む。ソケットターミナル３３０は、ランプ３１０を回路基板３２０に連結する。実施形態によると、回路基板３２０は印刷回路及び電力をパワーサプライユニット（図示せず）からランプ３１０に供給するためのインバータのような素子を含むことができる。
【００１６】
図１及び図２に示すように、ランプ３１０は、ソケットターミナル３３０を通じて回路基板３２０に連結される。ランプ３１０がソケットターミナル３３０に挿入される時ランプ３１０が回路基板３２０と接触することを防止するために、図４の通り、回路基板３２０のエッジ３２１に湾入部３２３を形成することができる。
【００１７】
回路基板３２０は収納容器１０内に位置し、収納容器１０の底板１１０に垂直になるよう配置される。
【００１８】
図２に示すように、回路基板３２０は、収納容器の底板１１０の内側に形成された回路基板支持部１２０によって固定される。光供給ユニット９０は、前記構造によって収納容器の外側に回路基板が装着される光供給ユニットより薄く形成できる。
【００１９】
回路基板支持部１２０は、回路基板３２０を収納して支持するグルーブ１２０ａを有する。回路基板支持部１２０は、スクリューのような固定手段１２１によって収納容器１０の底板１１０に装着される。回路基板支持部１２０は、前記した特定構造に限定されず、例えば、収納容器１０の側壁のような他の位置に装着するか、収納容器１０と一体に形成することもできる。サイドカバー４０は、ランプ３１０末端と回路基板３２０をカバーする。
【００２０】
図３は、図１に示したサイドカバー４０を示す斜視図である。
【００２１】
図３に示すように、本発明の一実施形態によると、サイドカバー４０は、前面４１０、後面４２０、側面４３０、上部面４３０、及び内部の空洞（ｃａｖｉｔｙ）４４０を含む。サイドカバー４０は、ランプ３１０の発光領域から発生される光を反射させて、非発光領域であるランプ３１０の末端周辺を照らして輝度均一性を具現する。サイドカバー４０の前面４１０は、第１面４１０ａと第２面４１０ｂとに分けられ、前記第１面４１０ａは、液晶表示パネル７０側により多くの光が反射されるよう傾斜させて形成する。第２面４１０ｂには、ランプ３１０を収容する開口４５０を形成する。開口４５０と開口４５０との間には隣接したランプ３１０（図１に示す）間の接続が発生しないように絶縁壁４６０が形成できる。
【００２２】
図１を更に参照すると、前記液晶表示装置は、液晶表示パネル７０を支持するパネルガイド６０を更に具備する。パネルガイド６０は、光学素子５０の移動を防止する。
【００２３】
液晶表示パネル７０は向き合う２つの基板７１、７２が互いに接着して構成され、液晶分子（図示せず）で構成された液晶層（図示せず）がその間に介在する。
【００２４】
基板（７１又は７２）上に互いに交差する複数のゲートライン（図示せず）とデータライン（図示せず）が形成され、薄膜トランジスタ（図示せず）がゲートラインとデータラインに電気的に接続される。
【００２５】
ゲートラインとデータラインはマトリックス状に形成される。基板上には複数のピクセル領域が定義される。ゲート駆動部７３とデータ駆動部７４は、それぞれゲートラインとデータラインに信号を印加する。印刷回路基板（ＰＣＢ）７５は、印刷されたワイヤーと電気素子（図示せず）を有する。
【００２６】
トップフレーム８０は、画像を表示する液晶表示パネル７０のアクティブ領域を露出させる開口８１を有する。一実施形態によると、トップフレーム８０は収納容器１０と結合して光供給ユニット９０のような他の部品と液晶表示パネル７０を固定する。
【００２７】
図４は、本発明の一実施形態による光源アセンブリの斜視図で、図５及び図６は、本発明の一実施形態によるソケットターミナルの後面斜視図である。
【００２８】
図４、図５及び図６を参照すると、ソケットターミナル３３０は、回路基板締結部３３１とソケット部３３２を含む。一実施形態によると、ソケット部３３２と回路基板締結部３３１は一体型に形成される。又、ソケット部３３２と回路基板締結部３３１は全体が導電体である。
【００２９】
ソケット部３３２は、一対のブランチ３３２ａ、３３２ｂを有する。各ブランチ３３２ａ、３３２ｂはその一部が互いの方向へ曲げられてランプホールディング部３３４とランプガイド部３３５を形成する。
【００３０】
ランプホールディング部３３４の２つのブランチ３３２ａ、３３２ｂは、ランプ電極３１２を支持して、半田付けのような追加のボンディング工程なしにソケット部３３２と電気的に接続できる。
【００３１】
ランプ電極３１２は、ランプガイド部３３５を通じてランプホールディング部３３４に挿入され、ランプガイド部３３５の少なくとも１部分の２つのブランチ３３２ａ、３３２ｂの間隔は、ランプホールディング部３３４の２つのブランチ３３２ａ、３３２ｂ間の距離より広く、ランプ電極３１２が容易に挿入できる。
【００３２】
ランプ電極３１２は、図４に示したようにランプ本体より細いリードワイヤー（ｌｅａｄ  ｗｉｒｅ）の形態に形成される。
【００３３】
回路基板締結部３３１は、回路基板３２０のエッジ３２１にかかるベンディング部３３６を含み、回路基板３２０のコンタクトターミナル３２２に電気的に接続されるためのコンタクト部３３３を有する。回路基板締結部３３１は、１つが形成されるが、必要によって２つ以上３３１ａ、３３１ｂが形成される。組立時に、ソケットターミナル３３０は回路基板３２０の上部から下部側に加圧され回路基板３２０と結合される。
【００３４】
ソケットターミナル３３０は、ワイヤーやコネクターのような媒介体や半田付けのようなボンディング工程なしに回路基板３２０に直接電気的に接続される。図４に示したように、コンタクト部３３３はコンタクトターミナル３２２により容易に接触できるようコンタクトターミナル３２２側に突出するように形成される。
【００３５】
２以上のコンタクトターミナル３２２が回路基板３２０の両面３２４ａ、３２４ｂに形成された場合、回路基板締結部３３１は、回路基板３２０の両面３２４ａ、３２４ｂのコンタクトターミナル３２２のそれぞれに対応するコンタクト部３３３ａ、３３３ｂを前面及び後面に具備する。このような構成によると、接触信頼性が向上できる。
【００３６】
図７は、本発明の他の実施形態による光供給ユニットの斜視図である。
【００３７】
図７を参照すると、光供給ユニット５００は、収納容器５１０、リフレクター２０、光源アセンブリ５６０、及びサイドカバー４０を含む。
【００３８】
光源アセンブリ５６０は、ランプ５３０、ソケットターミナル５４０、及び回路基板５５０を含む。
【００３９】
ソケットターミナル５４０は、ランプ５３０のランプ電極５３２と回路基板５５０を連結してランプ５３０にランプ駆動電力を伝達する。
【００４０】
図８は、図７に示した光源アセンブリの分解斜視図である。
【００４１】
図８を参照すると、ソケットターミナル５４０は、収納容器５１０の底板５１１に装着される。複数のソケットターミナル５４０は、図８に示すように、１回に組立可能に互いに連結して形成される。しかし、それぞれのソケットターミナル５４０が分離され形成されることもできる。図９の通り、ソケットターミナル５４０は、絶縁性であるハウジングＨとハウジングＨの内部に配置される導電性ターミナルＣを含む。
【００４２】
本発明の一実施形態によると、ハウジングＨは、ハウジングソケット部ＨＳとハウジング締結部ＨＦを含む。ハウジングソケット部ＨＳは、前方収納部５４１と後方収納部５４２、前方壁５４１ａを含む。
【００４３】
前方収納部５４１は、その内部にランプ５３０本体の一部を収納する。前方収納部５４１は、ランプ５３０の本体を支持するための前方収納部５４１を提供する。
【００４４】
後方収納部５４２は、その内部にランプ電極５３２を収納する。実施形態によると、ランプ電極５３２がソケットターミナル５４０から離脱することを防止するためにソケットカバー５７０が提供できる。
【００４５】
前方収納部５４１及び後方収納部５４２にはそれぞれ上方開口部が形成される。ランプ５３０が上方開口部を通じてハウジングソケット部ＨＳに挿入され、この後にソケットカバー５７０が後方収納部５４２の上方開口部を通じて後方収納部５４２に挿入される。
【００４６】
ハウジング締結部ＨＦは、回路基板５５０の一部を収納して固定する上部に開口を有する空間５４４を有する。回路基板５５０は、開口を通じて空間５４４に挿入するための突出エッジ５５１を有する。回路基板５５０の主平面は、収納容器５１０の底板５１１に対して垂直方向をなすように設置される。
【００４７】
図１の回路基板支持部１２０は本実施形態には含まれない。突出エッジ５５１にはハウジング締結部ＨＦの内部で導電性ターミナルＣと接触するコンタクトターミナル５５２が形成される。
【００４８】
図９は、図７に示したソケットターミナルの分解斜視図である。
【００４９】
図９を参照すると、ソケットターミナル５４０は、前記のようにハウジングＨと導電性ターミナルＣを含む。
【００５０】
導電性ターミナルＣ、ハウジングＨの底面に形成された開口（図示せず）を通じてハウジングＨに挿入される。導電性ターミナルＣは、導電性ソケット部ＣＳと導電性締結部ＣＦを含む。導電性ソケット部ＣＳは、ハウジングソケット部ＨＳの後方収納部５４２に挿入されランプ電極５３２に電気的に接続される（図７参照）。
【００５１】
導電性締結部ＣＦは、ハウジング締結部ＨＦの空間５４４に挿入され回路基板５５０のコンタクトターミナル５５２と電気的に接続される（図８参照）。本実施形態において、前記回路基板５５０は、前記ソケットターミナル５４０の上部から前記ハウジング収納部５４２の内側空間に挿入され前記ソケットターミナル５４０に結合される。
【００５２】
導電性ソケット部ＣＳは、２つのブランチ５４５ａ、５４５ｂを有する。２つのブランチ５４５ａ、５４５ｂは互いに向かって曲げられてランプホールディング部５４７ａを形成する。
【００５３】
ランプホールディング部５４７ａの２つのブランチ５４５ａ、５４５ｂはランプ５３０を固定して、ランプ電極５３２は半田付けのような追加のボンディング工程なしにソケットターミナル５４０に固定され電気的に接続される。実施形態によると、導電性ソケット部ＣＳは、ランプホールディング部５４７ａの上部にランプガイド部５４７ｂを具備する。
【００５４】
ランプガイド部５４７ｂの少なくとも一部分の２つのブランチ５４５ａ、５４５ｂの間の間隔は、ランプホールディング部５４７ａの２つのブランチ５４５ａ、５４５ｂの間の間隔より広くて、ランプ５３０が容易に挿入されるように形成される。ランプ５３０のランプ電極５３２はランプホールディング部５４７ａより広く広がったランプガイド部５４７ｂを通じてランプホールディング部５４７ａに挿入される。
【００５５】
図９に示すように、２つのブランチ５４５ａ、５４５ｂは、それぞれの末端が曲げられて形成された第１加圧部５４６ａ、５４６ｂを含み、前記第１加圧部５４６ａ、５４６ｂは、それぞれハウジングＨの側壁を押してランプホールディング部５４７ａがランプ電極５３２をタイトに固定するように圧力を加える。
【００５６】
導電性締結部ＣＦは、ハウジング締結部ＨＦの内部空間５４４に位置して回路基板５５０のコンタクトターミナル５５２と電気的に接続される（図９参照）。導電性締結部ＣＦは、回路基板５５０に圧力を加えて接触信頼性を向上させることができるように末端が曲げられて形成された第２加圧部５４７が形成される。
【産業上の利用可能性】
【００５７】
本発明は薄型の表示装置に好適に用いられる。
【００５８】
以上、添付図面を参照しながら本発明の好適な実施形態について詳細に説明したが、本発明はかかる形態に限定されない。本発明の属する技術の分野における通常の知識を有する者であれば、特許請求の範囲に記載された技術的思想の範囲内において、各種の変更形態または修正形態に想到し得ることは明らかであり、これらについても、当然に本発明の技術的範囲に属するものと了解される。
【符号の説明】
【００５９】
１０    収納容器
２０    リフレクター
３０    光源アセンブリ
４０    サイドカバー
５０    光学素子
６０    パネルガイド
７０    液晶表示パネル
８０    トップフレーム
９０    光供給ユニット
１００    液晶表示装置
３１０    ランプ
３２０    回路基板
３３０    ソケットターミナル
【図１】
2010039471.tif 000003
【図２】
2010039471.tif 000004
【図３】
2010039471.tif 000005
【図４】
2010039471.tif 000006
【図５】
2010039471.tif 000007
【図６】
2010039471.tif 000008
【図７】
2010039471.tif 000009
【図８】
2010039471.tif 000010
【図９】
2010039471.tif 000011